(57)【要約】【課題】  多数の利用者が１台の装置を共有して使用するため、表示パネル等から多くの利用者の登録されている送信記録や履歴情報を利用者の誰もが見ることが可能な状態にあり、その為、個人情報や機密情報が外部に漏れる虞れがあった。【解決手段】  通信ネットワークを介してデータの送受信を行ない、その送受信の通信履歴を生成する生成部を装置本体に備えたデータ通信装置において、前記装置本体には通信履歴に含まれるデータの一部を読取不可とする非読取手段を有することによってなされる。【選択図】    図１
2010273030.tif 000002
【特許請求の範囲】
【請求項１】
通信ネットワークを介してデータの送受信を行ない、その送受信の通信履歴を生成する生成部を装置本体に備えたデータ通信装置において、
前記装置本体には通信履歴に含まれるデータの一部を読取不可とする読取不能手段を有することを特徴とするデータ通信装置。
【請求項２】
前記読取不能手段は通信履歴の一部を暗号化、塗潰し又は空白化するプログラム手段からなる請求項１に記載のデータ通信装置。
【請求項３】
前記通信履歴に含まれるデータは送信先情報又は送信元情報である請求項１又は請求項２に記載のデータ通信装置。
【請求項４】
前記送信先情報又は送信元情報は宛先名、宛先アドレス、住所又は電話番号である請求項３に記載のデータ通信装置。
【発明の詳細な説明】
【技術分野】
【０００１】
本発明は、ファクシミリ、多機能プリンタ等、通信ネットワークで使用されるデータ通信装置に関する。
【背景技術】
【０００２】
この種のデータ通信装置は、多くの者が共有して使用するため、１台の装置に係わる通信データが集中することになる。
その結果、この種の装置においては、データの通信履歴も必然的に比例して多くなる傾向にあることから、通信データそのものの他に通信履歴の保管やその取扱いに係わる情報管理の重要性がより一層求められている。
そのような多数の通信データの履歴情報の整理、或いは通信履歴を保管する技術の一例が、下記特許文献１に開示されている。
この場合のデータ通信装置は、通信ネットワークを介して接続されるファクシミリやプリンタ等の画像形成装置から構成されている。
そして、画像形成装置内には、通信履歴に管理番号を付して生成する生成部と、生成した通信履歴の情報に識別番号を付して記憶する履歴情報記憶部と、その記憶部内の履歴情報を識別番号ごとに格納する格納手段、更には、その通信履歴を検索する検索手段等が備えられている。
【先行技術文献】
【特許文献】
【０００３】
【特許文献１】特開２００８−２３００３８号公報
【発明の概要】
【発明が解決しようとする課題】
【０００４】
しかし、従来のデータ通信装置では、多数の利用者が共有して使用するため、装置を操作することによって表示パネル等から登録されている利用者の通信履歴の情報を他の利用者が見ることが可能な状態にある。従って、個人情報や機密情報が外部に漏れる虞があった。
このような情報漏洩対策として、従来から秘話機能を備えた装置もあるが、この種の装置は、通信履歴の内容全部を暗号化して通信履歴の把握をも不可能にしてしまう。その結果、利用者にとっては送信した手掛かりや自他の記録の見分けが付かなくなるため、実用的ではなかった。
【０００５】
（目的）
そこで本発明は、上記問題に鑑みなされたもので、第三者から読み取られずに済むように重要又は秘密にしたい情報の一部を読取り不能に変換した通信履歴を表示することが可能なデータ通信装置を提供することを目的とする。
【課題を解決するための手段】
【０００６】
上記目的を達成するため、本発明は下記の基本構成を具備する。
通信ネットワークを介してデータの送受信を行ない、その送受信の通信履歴を生成する生成部を装置本体に備えたデータ通信装置において、前記装置本体には通信履歴に含まれるデータの一部を読取不可とする読取不能手段を有することによってなされる。
【発明の効果】
【０００７】
本発明は、上記のように構成することによって、装置内に多くの利用者の通信履歴が混在して登録されている中で、各利用者の重要又は秘密にしたい通信履歴の情報の一部を読取不能手段が読み取り不可能に変換して隠すことができるから、第三者から読み取られずに済む通信履歴を表示することができる。従って、共有して使用する装置の通信履歴の保管に極めて有効となる利点を有する。
【図面の簡単な説明】
【０００８】
【図１】本発明の実施例１に係るファクシミリの基本構成を示すブロック図である。
【図２】同実施例１の動作に関するフローチャートである。
【図３】同実施例１の暗号化案内表示図である。
【図４】同実施例１の暗号化指定ＭＥＮＵ表示図である。
【図５】同実施例１のログ情報履歴表（暗号化前）である。
【図６】同実施例１のログ情報履歴表（暗号化後）である。
【図７】同実施例２に係るファクシミリの基本構成を示すブロック図である。
【図８】同実施例２の動作に関するフローチャートである。
【図９】同実施例２の暗号化案内表示図である。
【図１０】同実施例２のログ情報履歴表（暗号化前）である。
【図１１】同実施例２のログ情報履歴表（暗号化後）である。
【図１２】暗号化プログラムの表示図である。
【発明を実施するための形態】
【０００９】
以下、本発明の実施形態を図面に基づき説明する。
【実施例１】
【００１０】
図１は本発明の実施例１に係るデータ通信装置をファクシミリに適用させた基本構成を示すブロック図である。
図１において、ファクシミリ１は通信ネットワークを介して他のファクシミリと接続されている。
【００１１】
このファクシミリ１は、画像情報のデータを送受信する送受信部２と、送受信するデータの処理実行や制御を行う制御部（以下ＣＰＵという）３と、このＣＰＵ３の制御に基づいて通信履歴の情報の一部を暗号化する読取不能手段１０を有する通信履歴（以下ログという）生成部４と、暗号化,空白化又は塗潰し（以下、単に暗号化という）を施した通信履歴を格納するログ保存部５と、紙媒体の情報内容を読み込む画像読取部６と、送信時の一時記憶や画像受信時の画像情報を記憶する画像記憶部７と、利用者が送信先の宛先指定などの送信操作を行うための操作部８と、受信時に画像データをプリントするプリンタ１６と、暗号化指定等の操作や表示を行う表示部９から構成されている。
【００１２】
送受信部２は、ディジタル／アナログ各回線接続部（Ｉ／Ｏポート、モデム等）及びバッファメモリなどから構成されており、内外の通信ネットワークと装置本体内のＣＰＵ３との間にデータバス等で接続されている。
ここで、外部通信ネットワークとは、例えばディジタル公衆回線としてのＩＳＤＮ、アナログ公衆回線としてのＰＳＴＮであり、また、内部の通信ネットワークとしてはＴＣＰ／ＩＰを用いたイントラネットやＬＡＮである。
【００１３】
ＣＰＵ３は、図示しない制御回路、ＡＬＵ及びレジスタ等から構成され、送受信部２、画像読取部６、画像記憶部７、操作部８、表示部９、プリンタ部１６及びログ生成部４と制御バス等で接続され装置全体の動作を制御している。
送信時には、送信先に送信しようとする利用者が紙媒体を画像読取部６にセットし、操作部８で宛先を指定すれば画像読取部６が紙媒体を光学的にスキャニングして読み取り、データ化した後、送受信部２が通信ネットワークを通じて送信先に情報を伝達する。
また、受信時には、通信ネットワークを通じて送信元から送られてきた画像データは、送受信部２のバッファメモリに一旦格納された後、プリンタ１６により紙媒体に出力されるか又は画像記憶部７に画像データとして記憶する。
【００１４】
ログ生成部４は、ＣＰＵ３とログ保存部５との間にデータバス、制御バスで接続され、その内部に読取不能手段１０を有している。
このログ生成部４は、送信後直ちに、送信したＦＡＸ番号と利用者が操作部８の入力部１１７から入力した宛名や送信先等のデータを基に、通信履歴を作成する。なお、発信日時はＣＰＵ３内のクロックパルスによって送信ごとにその都度自動的に通信履歴中に記録される。
【００１５】
読取不能手段１０は、例えば、ＲＳＡ暗号化プログラム（以下、単にＲＳＡという）によって構成されている。このＲＳＡは、送信動作終了後のログ生成時にＣＰＵ３の制御に基づいて実行される。
ＲＳＡは、図１２に示すように、二つの任意の素数、例えば「３」と「５」からなる数値を掛合わせて設定した１５進法を基に、整数の数列をべき乗して乱数表を作成する（１５以上の数値はその数値で割った余りを記入）。なお、素数を大きな数値に設定することにより、解読はより困難となる。
情報の暗号化は、この乱数表の特性を利用して暗号化を必要とする送信先の宛名やＦＡＸ番号などを数値に置き換え、適当なべき乗数を選択すると、通常のべき乗数とは異なる数値に変化し、別の文字や記号に置き換わる。復号化（解読）するには、下記数１式に基づき、置き換わった数値は、元の数値に移動させてこれに対応する文字が判読可能となる。
利用者毎に素数の組合わせを変えて暗号化するため、１台の装置を多数の利用者で使用しても個人情報の安全性が図れる。
【００１６】
（数１）
Ｄ＝｛ｎ×（Ｐ−１）×（Ｑ−１）＋１｝／Ｅ
ここで、Ｐ：任意の素数（例えば３）
Ｑ：任意の素数（例えば５）
Ｅ：暗号化べき乗数（適宜選択）
Ｄ：復号化べき乗数（鍵）
ｎ：定数
すなわち、暗号化した数値にＤ乗した数値が復号化の鍵になる。
【００１７】
ログ保存部５は、揮発性又は不揮発性のＥＰＲＯＭ又はＲＡＭからなる各種記憶手段で構成され、ログ生成部４とデータバスを介して接続されている。
このログ保存部５は、ＣＰＵ３の制御に基づき、ログ生成部４で生成された通信履歴、すなわち、利用者が外部に送信した通信履歴の中で重要又は伏せたい情報の一部を選択的に隠した通信履歴と、読取不能手段１０を通さなかった通信履歴、すなわち暗号化を必要とない通信履歴もデータとして格納し保存する。
【００１８】
画像読取部６は、紙媒体に記載されている情報を光学的にスキャニングして画像信号（電気信号）として検出する検出部と、検出した信号を画像信号に変換して送信部に送信する画像信号形成部にて構成され、ＣＰＵ３とデータバスを介して接続されている。
【００１９】
画像記憶部７は揮発性又は不揮発性のＥＰＲＯＭ又はＲＡＭからなる記憶手段で構成され、送信時、紙媒体から読み取った送信データを一旦保存する。
また、この画像記憶部７は、受信時、送信元から送られてきたデータを紙媒体にプリントせずにそのまま画像データとして保存する。
【００２０】
操作部８は、装置本体の適所に設けられる操作パネルによって構成され、その操作パネル上にテンキーや各種機能選択キーを有し、ＣＰＵ３と制御バスを介して接続されている。
【００２１】
表示部９は、図３又は図４に示すように、液晶ディスプレイ等からなる表示体を備え、操作部８の操作によってディスプレイ上に表示した「暗号化案内」１１や「暗号化ＭＥＮＵ」１５の指定時にタッチ式パネル操作で表示内容の設定や表示変更ができるように構成されている。
【００２２】
プリンタ１６は、例えば、シリアルプリンタの他、種々のプリント方式のものでもよく、ＣＰＵ３とデータバスで接続されている。そして、プリンタ１６は送信元からの送信信号を送受信部２で受信すると、ＣＰＵ３の制御指令に応じて、常時プリント可能に設定されている。
【００２３】
次に、このように構成される本実施例１に係るファクシミリ１の動作を説明する。
図２は本実施例１で利用者がファクシミリ１の通信履歴を暗号化する場合についてのフローチャートである。ファクシミリ１の電源は、通常ＯＮにしてあるものとする。
【００２４】
（Ｓ１０１）
先ず、ファクシミリ１を送信で使用する時、利用者は予め送信すべき紙媒体を用意し、送信先のＦＡＸ番号を確認して、間違いのないことが確認できたらその紙媒体を画像読取部６にセットする。
紙媒体がセットされたことをＣＰＵ３が検知すると、画像読取部６の検出部は、ＣＰＵ３の制御に基づいて読み込み可能な状態で待機する。
【００２５】
（Ｓ１０２）
次に、利用者は送信すべき相手先のＦＡＸ番号を操作部８のテンキー（図示しない）から入力する。
【００２６】
（Ｓ１０３）
更に、利用者が図示しない操作キーの「送信」ボタンを押下すれば、紙媒体に記された内容は、画像読取部６で読み取られてデータ信号に変換され、送受信部２の送信部から通信ネットワークを通じて相手先のファクシミリに送信される。同時に紙媒体の内容は画像読取部６で読み取られ画像記憶部７に画像データとして保存される。
送信が完了したことをＣＰＵ３が検知すると、ＣＰＵ３はＲＳＡにより暗号化を実行し、表示部９には、図３に示すような「暗号化案内」１１が表示される。この「暗号化案内」１１には利用者毎に異なるＩＤ番号及びパスワード入力用のテキストボックス１３及びログオン１４ボタンが設けられており、利用者が定められた自分の各番号をテキストボックス１３に入力できるように設定されている。別の利用者は夫々各自のＩＤ番号及びパスワードを入力する。
【００２７】
（Ｓ１０４）
利用者は、送信し終わった通信履歴の内容の内、伏せたい項目、例えば相手先の宛名や送信先番号（ＦＡＸ番号）或いは送信内容など第三者に見られたら困る情報があれば、テキストボックス１３に、予め指定された自分のＩＤ番号、パスワードを入力し、かつログオン１４を押下する。
ログオンすると、表示部９には、次に図４に示す「暗号化指定ＭＥＮＵ」１５が表示される。
【００２８】
これに従って、例えば利用者Ａは、表示された項目の中から隠したい項目を選択し、隠したい項目にチェック印１２を入力し、確認ボタン１６を押下する。
これにより、ＣＰＵ３の制御に基づき読取不能手段１０が作動し、利用者Ａ用のＲＳＡが実行される。図１２に示すＲＳＡの表中の、例えば「送信先番号」はアドレス（２）又「宛名」は（３）に入ると、暗号化はべき乗列３に該当するため、（２）が（８）に又（３）が（１２）に置き換えられ文字が変わる。図５に示す送信履歴は、指定したその項目だけが図６に示すように暗号化に変換され、それ以外の項目に付いては元の状態のまま残ることになる。暗号化項目は、図１２に示すように、順次空いているアドレスに入る。
【００２９】
別の利用者Ｂが同様に暗号化する場合も、自分のＩＤ番号及びパスワードを表示部から入力すれば、利用者Ｂ用のＲＳＡが指定され、送信履歴は指定したその項目だけが図６に示すように暗号化に変換され、それ以外の項目に付いては元の状態のまま残ることになる。
【００３０】
ログ保存部５には、図６に示すように記録対象項目の一部が暗号化された送信履歴と図５に示す暗号化されていない通信履歴が登録される。
なお、暗号化の必要性がなければ、表示部９は、所定時間（１〜２分）経過後初期表示に自動的に戻る。
【００３１】
次に、既に暗号化して登録済みの通信履歴の情報を解読する場合について説明する。
表示部９を操作キーで一旦リッセトすると、その表示部９には、図３に示す「暗号化案内」１１が自動的に表示される。
例えば、利用者Ａが操作部８のテンキーからテキストボックス１３に自分のＩＤ番号等を入力し、ログオンボタン１４を押下して入力すると、ＣＰＵ３の制御に基づき、ログ生成部４は利用者Ａ用のＲＳＡを読み出し通信履歴情報の解読が実行される。
【００３２】
これに従い、既に暗号化されて登録済みの図６に示すログ情報表が画像読取部７からプリントアウトされる。
利用者は、このプリントアウトされた表から復元を必要とする記録を確認する。
目的の記録と合っていることが確認できたら利用者は、メニュー画面中に表記された該当項目に指でタッチすることにより読取不能手段１０が解読機能し、図１２に示す復号化のプログラムが実行される。この時、ＲＳＡ表中では、数１式から算出されたべき乗列は３から更に３乗移った５乗列目に移動する。例えば、（８）として別の文字に変わっていた「送信先番号」は、元の（２）となり、同時に「暗号化指定ＭＥＮＵ」１５中のチェック印１２が消去し、暗号化されていた項目は元の判読可能な状態に復元する。
【００３３】
また、別の利用者Ｂが同様に自分の通信履歴の情報を解読する場合、操作部８のテンキーからテキストボックス１３に自分のＩＤ番号等を入力し、ログオンボタン１４を押下して入力すると、ＣＰＵ３の制御に基づき、ログ生成部４は、利用者Ｂ用のＲＳＡを読み出し通信履歴情報の解読が実行される。利用者Ｂはこれに従って、操作部８を操作することにより、暗号化されていた項目を元の判読可能な状態に復元することができる。
【実施例２】
【００３４】
図７は本発明の第２の実施例に係るデータ通信装置としてファクシミリ１００の構成を示すブロック図である。ここでは、第１の実施例と同じ点については省略し、異なる点についての説明をする。
【００３５】
図７において、ファクシミリ１００は実施例１同様、通信ネットワークを介して他のファクシミリと接続されている。
このファクシミリ１００は、画像情報のデータを送受信する送受信部１０１と、送受信するデータの処理実行や制御を行うＣＰＵ１０２と、このＣＰＵ１０２の制御指令に基づいて通信履歴の情報を暗号化する読取不能手段１０９を有するログ生成部１０３と、暗号化が施された通信履歴情報を格納するログ保存部１０４と、暗号化された通信履歴の情報解読に用いる鍵情報を登録する鍵情報保存部１１０と、紙媒体を読み込む画像読取部１０５と、送信時の一時記憶や画像データ受信時の画像情報を記憶する画像記憶部１０６と、利用者が宛先指定などの送信操作を行うための操作部１０７と、受信時に画像データをプリントするプリンタ１１６と、送信結果や暗号化指定等の表示を行う表示部１０８から構成されている。
すなわち、第１の実施例と異なる点は、ログ保存部１０４とは別に分けた鍵情報保存部１１０を設けている。
【００３６】
ログ生成部１０３は、ＣＰＵ１０２とログ保存部１０４との間に接続され、その内部に読取不能手段１０９を有している。
このログ生成部１０３は、送信後直ちに、送信した相手先のＦＡＸ番号と一致した宛名や送信先等のデータをメモリ内から検索し、予めメモリ内に登録してある宛名や送信先等のデータを基に、ＣＰＵ３の制御指令にしたがって、通信履歴を作成する。初めての送信の場合は、操作部１０７の操作キーから表示部１０８の入力部に入力し、メモリ内に登録する。なお、発信日時はＣＰＵ１０２内のクロックパルスによって送信ごとに通信履歴中に記録される。
この読取不能手段１０９は、図１２に示すＲＳＡ暗号化プログラムによって構成され、通信履歴の中で重要又は伏せたい情報を数値変換して暗号化し、選択的に隠すことができる。
【００３７】
鍵情報保存部１１０は、揮発性又は不揮発性のＥＰＲＯＭ又はＲＡＭからなる記憶手段から構成され、ログ生成部１０３にデータバス等を介して接続されている。
この鍵情報保存部１１０は、一旦暗号化された通信履歴の各項目内容を解読するため、各利用者の暗証番号等をＲＳＡ暗号化データとして格納し、専用の独立させた保存部とすることにより、処理検索時間を短縮することができる。
なお、ここでの暗証番号とは実施例１のＩＤ番号やパスワードと同様の機能を持つもので、単独で使用するが、解読防止機能を高めるため両方を組み合わせて併用してもよく、使用環境に応じて何れを採用してもよい。
【００３８】
次に、このように構成される本実施例２に係るファクシミリ１００の動作を説明する。
図８は、本実施例２で利用者がファクシミリ１００の通信履歴を暗号化する場合及び復号化する場合についてのフローチャートである。
ファクシミリ１００は、通信ネットワークを通じて他のファクシミリと接続されており、必要に応じ上位装置であるパーソナルコンピュータ等とも接続されている。電源は、通常、常時ＯＮにしておくものとする。
【００３９】
（Ｓ２０１）
先ず、ファクシミリ１００を使用する場合、利用者は予め送信すべき紙媒体を用意し、また、送信先のＦＡＸ番号を確認し、間違いないことが確認できたら紙媒体を画像読取部１０５にセットする。
紙媒体がセットされたことをＣＰＵ１０２が検知すると、画像読取部１０５の検出部は、ＣＰＵ１０２の制御指令に基づいて情報内容を読み込む。
読み込まれた情報内容は、画像信号化され画像記憶部１０６にデータとして保存される。
【００４０】
（Ｓ２０２）
次に、利用者は送信すべき相手先のＦＡＸ番号を操作部１０７のテンキーから入力する。
（Ｓ２０３）
更に、利用者が操作キーの「送信」ボタンを押下すれば、データは送受信部１０１から通信ネットワークを通じて相手先のファクシミリに送信される。
送信完了したことをＣＰＵ１０２が検知すると、ＣＰＵ１０２は暗号化プログラムを実行し、表示部１０８には図９に示すような「暗号化案内」１１１が表示される。
【００４１】
（Ｓ２０４）
この暗号化案内１１１が表示されると、利用者は、操作部１０７のテンキーから予め登録してある自分の鍵情報である暗証番号をテキストボックス１１２に入力し、ログオンボタン１１３を押下して入力する。
暗証番号が正しければ、ＣＰＵ１０２の制御指令に基づき、表示部１０８には、次いで図４に示す「暗号化指定ＭＥＮＵ」９が表示される。利用者はこのメニューの中の項目から、暗号化が必要な項目を指定する。
これにより、ＣＰＵ１０２の制御指令に基づき読取不能手段１０９が動作し、図１０に示す送信記録は、指定したその項目だけが暗号に変換され、それ以外の項目に付いては元の状態のまま残ることになる。ログ保存部１０４には図１１に示すように、記録対象項目の一部が暗号化された標記で通信履歴が登録される。
【００４２】
次に、既に暗号化して登録済みの通信履歴の情報を解読する場合について説明する。
表示部１０８を操作キーで一旦リッセトすると、その表示部１０８には、図９に示す「暗号化案内」１１１が自動的に表示される。
利用者が操作部１０７のテンキーからテキストボックス１１２に自分の暗証番号を押下し、解読ボタン１１４を押下して入力すると、ＣＰＵ１０２の制御指令に基づき、ログ生成部１０４は鍵情報保存部１１０からＲＳＡを取出し通信履歴情報の解読が実行される。
【００４３】
これに従い、既に暗号化されて登録済みの図１１に示す通信履歴情報（表Ａ、表Ｂ）が画像読取部１０５からプリントアウトされる。
利用者は、このプリントアウトされた表Ａから復元を必要とする記録を確認し、また表Ｂ中の「通番」の指定した番号をテンキーから入力する。
この操作により、ＣＰＵ１０２の制御指令にしたがい、表示部１０８には、図４に示す「暗号化指定ＭＥＮＵ」１５が表示される。
このメニュー画面中には、図１１に記載される「通番」に該当する宛名等のチェック印１２項目が表記される。この時、利用者はメニュー中の「通番」１１５の番号と表中のものが一致しているかを確認する。
【００４４】
合っていることが確認できたら利用者は、メニュー画面中に表記された該当項目に指でタッチすることにより読取不能手段１０９が解読機能し、図１２に示す復号化のプログラムが実行される。この時、ＲＳＡ表中では、数１式から算出されたべき乗列は３から更に３乗移った５乗列目に移動する。例えば、（８）として別の文字に変わっていた「送信先番号」は、元の（２）となり、同時に「暗号化指定ＭＥＮＵ」１５中のチェック印１２が消去し、暗号化されていた項目は元の判読可能な状態に復元する。
【産業上の利用可能性】
【００４５】
本発明は、ファクシミリについて説明したが、これに限らずプリンタやＭＦＰ或いは複写機等といったデータ通信に係わるその端末装置に利用可能である。
【符号の説明】
【００４６】
１    ファクシミリ
２    送受信部
３    ＣＰＵ
４    ログ生成部
５    ログ保存部
６    画像読取部
７    画像記憶部
８    操作部
９    表示部
１０  読取不能手段
１１  暗号化案内
１２  チェック印
１３  テキストボックス
１４  ログインボタン
１５  暗号化指定ＭＥＮＵ
１６  プリンタ
【図１】
2010273030.tif 000003
【図２】
2010273030.tif 000004
【図３】
2010273030.tif 000005
【図４】
2010273030.tif 000006
【図５】
2010273030.tif 000007
【図６】
2010273030.tif 000008
【図７】
2010273030.tif 000009
【図８】
2010273030.tif 000010
【図９】
2010273030.tif 000011
【図１０】
2010273030.tif 000012
【図１１】
2010273030.tif 000013
【図１２】
2010273030.tif 000014